(57)【要約】【課題】表示装置の本体に外部から所定値を超える外力が作用した場合でも表示装置の本体の倒壊を防止することのできる表示装置を提供する。【解決手段】表示パネルと表示パネルの背面に配置されたシャーシとを有する本体と、本体が結合されて本体を支持する複数の支柱部を有するスタンドとを備えた表示装置であって、複数の支柱部は、本体を幅方向に二等分する垂直方向の中心軸線を挟んで一方の側と他方の側とで支柱部の強度が異なる。【選択図】図４
2010175998.tif 000002
【特許請求の範囲】
【請求項１】
表示パネルと前記表示パネルの背面に配置されたシャーシとを有する本体と、
前記本体が結合されて前記本体を支持する複数の支柱部を有するスタンドとを備えた表示装置であって、
前記複数の支柱部は、前記複数の支柱部の内で少なくとも１個は他の支柱部と強度が異なることを特徴とする表示装置。
【請求項２】
前記複数の支柱部の内で少なくとも１個は他の支柱部と支柱部の断面積が異なることを特徴とする請求項１記載の表示装置。
【請求項３】
表示パネルと前記表示パネルの背面に配置されたシャーシとを有する本体と、
前記本体が結合されて前記本体を支持する複数の支柱部を有するスタンドとを備えた表示装置であって、
前記複数の支柱部は、前記本体を幅方向に二等分する垂直方向の中心軸線を挟んで一方の側と他方の側とで支柱部の強度が異なることを特徴とする表示装置。
【請求項４】
前記複数の支柱部は、前記本体を幅方向に二等分する垂直方向の中心軸線を挟んで一方の側と他方の側とで支柱部の数が異なることを特徴とする請求項３記載の表示装置。
【請求項５】
表示パネルと前記表示パネルの背面に配置されたシャーシとを有する本体と、
前記本体が結合されて前記本体を支持する支持板を有するスタンドとを備えた表示装置であって、
前記支持板は、前記本体を幅方向に二等分する垂直方向の中心軸線を挟んで一方の側と他方の側とで支持板の強度が異なることを特徴とする表示装置。
【請求項６】
前記支持板は、断面形状が前記中心軸線に対して非対称であることを特徴とする請求項５記載の表示装置。
【請求項７】
前記支持板は、両端に大きさの異なるリブを有することを特徴とする請求項５記載の表示装置。
【発明の詳細な説明】
【技術分野】
【０００１】
本発明は、表示装置の本体をスタンドによって支持する表示装置に関する。
【背景技術】
【０００２】
近年、液晶表示パネルやＰＤＰ（Plasma Display Panel）などの表示パネルを用いた薄型テレビの画面の大型化が進展し、４０型（有効可視領域の対角長が４０インチ）以上の薄型テレビも多数商品化されている。薄型テレビの外形は、画面のアスペクト比が１６：９の横長で矩形の平板であり、例えば、４６型は、横幅が１１０ｃｍ程度、高さが８０ｃｍ程度であり、５２型は、横幅が１３０ｃｍ程度、高さが８５ｃｍ程度である。
【０００３】
図１３は、薄型テレビのような表示装置１００の外形を示す斜視図である。表示装置の本体１０１は、据置きスタンドあるいは卓上スタンドと呼ばれる表示装置の本体を支持するスタンド１０２に取り付けられて設置される。スタンドには、本体を固定するための支持部が備えられており、本体と支持部がネジ等により固定されている。
【０００４】
薄型テレビのような表示装置の本体の重量は、例えば、４６型は３０ｋｇ程度、５２型は４０ｋｇ程度あり、支持部はその重量を支えなければならない。更に、本体に外部から本体を倒す方向の力が作用した場合には、支持部に大きな力が作用する。支持部が許容する力より大きい力が作用した場合には、支持部が変形し、更には破断し、本体が倒壊する恐れがある。
【０００５】
モニタ（表示装置）に衝撃力が加えられた場合に、衝撃を吸収し、衝撃を吸収した後でもモニタが脱落しない構造が考案されている。（例えば、特許文献１参照。）特許文献１においては、モニタに取り付けられたブラケットにクリップを設け、固定側の支持ブラケットにはグロメットを設け、グロメットには、挿入されたクリップを支持しかつクリップに所定以上の衝撃が加わった時は変形する桟部を設けるとともに、その下方位置に、桟部が変形したときのクリップの所定量の下方移動を許容する移動許容スペースと、所定量を超える下方移動は禁止する移動阻止部を設けた構成としている。
【先行技術文献】
【特許文献】
【０００６】
【特許文献１】特開２００１−３４７８９５号公報
【発明の概要】
【発明が解決しようとする課題】
【０００７】
表示装置本体に外部から本体を倒すような方向の外力が発生する場合の例として、例えば人が何かの弾みで表示装置上部にぶつかることが考えられる。また、子供が不用意に本体の上に手を掛けて、ぶら下がるようなことが考えられる。このような想定外の外力、衝撃力が表示装置の上部に作用した場合には、スタンドの支持部に極めて大きな力が作用し、支持部が破断する可能性がある。
【０００８】
図１４は、表示装置１００の本体１０１が倒壊した状態を側面から見た図である。本体１０１の上部に外力Ｆが作用したために、スタンド１０２の支持部１０３が破断し、本体１０１が前面側（表示パネル側）に倒壊する様子を示している。
【０００９】
支持部１０３が塑性変形の範囲で収まれば、破断には至らない可能性があるが、脆性破壊した場合には破断して倒壊に至る。本体の重量は、４６型以上では３０ｋｇ以上あるため危険である。したがって所定値を超える外力が作用した場合でも、ある程度の変形を許容しながら倒壊に至らないようにすることが望まれる。
【００１０】
本発明は上記したような事情に鑑み成されたものであって、表示装置の本体に所定値を超える外力が作用した場合でも表示装置の本体の倒壊を防止することのできる表示装置を提供することを目的とする。
【課題を解決するための手段】
【００１１】
上記目的を達成するために、本発明の表示装置は、表示パネルと前記表示パネルの背面に配置されたシャーシとを有する本体と、前記本体が結合されて前記本体を支持する複数の支柱部を有するスタンドとを備えた表示装置であって、前記複数の支柱部は、前記複数の支柱部の内で少なくとも１個は他の支柱部と強度が異なることを特徴とする。
【発明の効果】
【００１２】
本発明によれば、表示装置の本体に所定値以上の外力が作用した場合でも表示装置本体の倒壊を防止することができる。
【図面の簡単な説明】
【００１３】
【図１】本発明による表示装置の概観を示す斜視図。
【図２】表示装置を背面から見た図。
【図３】表示装置の図２におけるＡＡ断面を示した図。
【図４】シャーシと支柱部が結合された状態を背面側から見た斜視図。
【図５】スタンドの概観を示す斜視図。
【図６】支柱部の断面の形状を示した図。
【図７】実施例２に係る支柱部の断面の形状を示した図。
【図８】実施例３に係る支柱部の断面の形状を示した図。
【図９】実施例３に係るスタンドの概観を示す斜視図。
【図１０】実施例４に係るスタンドの概観を示す斜視図。
【図１１】実施例５に係るスタンドの概観を示す斜視図。
【図１２】実施例６に係るスタンドの概観を示す斜視図。
【図１３】表示装置の外形を示す斜視図。
【図１４】表示装置の本体が倒壊した状態を側面から見た図。
【発明を実施するための形態】
【００１４】
以下本発明の実施例について図面を参照しながら説明する。
【実施例１】
【００１５】
以下本発明による表示装置の実施例について図面を参照しながら説明する。図１は、本発明による表示装置１の概観を示す斜視図である。表示装置１の本体２は、表示装置の本体を支持するスタンド３に取り付けられている。スタンド３には、本体２を固定するための支柱部が備えられており、本体と支柱部がネジ等により固定されている。本体２の前面側には液晶パネルやＰＤＰパネル等の表示パネル４が配置されている。本体２の前面側と本体の上面、底面、両側側面の一部を覆う前面カバー６と、本体２の背面と本体の上面、底面、両側側面の一部を覆う背面カバー７とによって外面が囲まれている。
【００１６】
図２は、表示装置１を背面から見た図である。本体２の内部にはシャーシ５が配置されており、シャーシ５の略中央下部において、スタンド３と接合している。スタンド３の台座８から略垂直に立ち上がっている支柱部９、支柱部１０、それぞれ２箇所のネジ固定用の孔１１ａ、１１ｂ、１２ａ、１２ｂがあり、シャーシ５には図示しない固定用のネジ穴１３ａ〜１３ｄが設けられており、固定ネジ１４ａ〜１４ｄによってシャーシ５とスタンド３が固定されている。シャーシ５におけるシャーシ５と支柱部９、１０との接合部は、例えば厚さ２ｍｍの金属板である。本実施例において、固定ネジは４個であるが、固定ネジ１４は必要に応じて更に複数個追加してもよいことは言うまでもない。
【００１７】
軽量化等のためにシャーシの金属板金を薄くしたり、樹脂化したりする場合には、シャーシの強度が低下するため、シャーシの背面側に金属板で作られた別のフレーム（図示せず）を取り付け、そのフレームにスタンド３の支柱部９、１０を結合する場合も考えられる。フレームは背面から見てシャーシと略同じ大きさでもよいし、またスタンド３の支柱部９、１０との結合部近辺だけであってもよい。
【００１８】
背面カバー７には固定ネジ１４ａ〜１４ｄに対応する位置に開口１５ａ〜１５ｄがあり、背面カバー７の外側から固定ネジ１４ａ〜１４ｄを締めたり緩めたりできるようになっている。
【００１９】
図３は表示装置１の図２におけるＡＡ断面を示した図である。本体２は前面側に液晶パネルやＰＤＰパネル等の表示パネル４が配置され、表示パネル４の背面側に表示パネル４を支持するシャーシ５が配置されている。シャーシ５の背面には表示パネルを駆動するための図示しない回路基板や電源回路が設置されている。前面カバー６と背面カバー７は、シャーシ５に固定されている。スタンド３の台座８から略垂直に立ち上がっている支柱部９とシャーシ５が固定ネジ１４ａ、１４ｂによって固定されている。
【００２０】
図４は、シャーシ５と支柱部９、１０が結合された状態を背面側から見た斜視図である。前面カバー６と背面カバー７を外した状態を背面側から見た状態である。シャーシ５は、支柱部９、１０によって支持されており、したがって支柱部９、１０は本体２の重量を支えている。更に、本体２に外部から本体２を倒す方向の力が作用した場合には、支柱部９、１０に大きな力が作用する。
【００２１】
図５は、スタンド３の概観を示す斜視図である。スタンド３は台座８と支柱部９及び１０により構成されている。台座８は、その底面（設置面と接する面）に台座８を設置面に対して位置決めするための平面部が設けられている。支柱部９、１０は台座８の上部にあって、平面部に対して略垂直に設置されている。特にシャーシ５が接合する面は略垂直である。支柱部９、１０は、それぞれ２箇所のネジ固定用の孔１１ａ、１１ｂ、１２ａ、１２ｂがある。これらのネジ固定用の孔の数は必要とされるネジの個数によって増加させればよい。
【００２２】
台座８と支柱部９、１０は一体的に結合されており、同一材料で一体的に成型してもよいし、または別材料により製造した後で強固に結合してもよい。同一材料で一体的に成型する場合には、アルミダイカスト等が考えられる。支柱部９と支柱部１０は断面形状が異なっており、支柱部の曲げ変形に対する強度が異なっている。支柱部９はその断面の一部の寸法が、支柱部１０の対応する部分の寸法に比較して大きい。支柱部９は、一部の厚さを肉厚にすることによって強度を大きくさせている。
【００２３】
支柱部９と支柱部１０の曲げ変形に対する強度あるいは破断に至るまでの強度は、本体に加わる外力を想定し、想定された所定の外力に耐えられるように決められる。まず、支柱部が２本とも強度が小さい方の支柱部１０であると仮定して、所定の外力に耐えられるように支柱部１０の寸法を決定する。所定の外力は、表示装置１の強度に関する仕様によって決められる。次に支柱部９については、支柱部１０の強度を超える強度になるように寸法を決定する。
【００２４】
このようにすることによって、所定の外力を超える外力あるいは衝撃力が本体２に作用した場合に、強度の小さい支柱部１０が先に変形する。強度の小さい支柱部１０の変形が大きい場合には支柱部１０は破断に至る。支柱部１０が先に変形あるいは破断することによって外力あるいは衝撃力が吸収され、強度の大きい支柱部９が破断に至らずに済み、本体２の倒壊を防止することができる。少なくとも同時に破断には至らないため、本体２の倒壊を防止できる可能性が大きい。本体の片側が変形することによって、外力を減少させる時間の余裕が生まれる。例えば、人が何かの弾みで表示装置上部にぶつかる場合や、子供が不用意に本体の上に手を掛けてぶら下がるような場合でも、本体の片側が変形することによって、連続的な外力の作用を減少させ、本体２の倒壊を防止できる可能性が大きい。
【００２５】
しかしながら、所定の外力を超える外力を更に上回るような大きな外力、例えば所定の外力の数倍あるいは十数倍の外力が連続して作用すれば、強度の大きい支柱部も破断に至る可能性があることは否定できない。
【００２６】
図６は、支柱部９と支柱部１０の断面の形状を示した図である。図６（ａ）は支柱部１０の断面形状であり、図６（ｂ）は支柱部９の断面形状である。支柱部９と支柱部１０の断面の形状は略コの字型をしている。Ｓ１、Ｔ１、Ｕ１、Ｖ１、Ｗ１は支柱部９のそれぞれの寸法を示し、Ｓ２、Ｔ２、Ｕ２、Ｖ２、Ｗ２は支柱部１０のそれぞれの寸法を示している。
【００２７】
Ｓ２、Ｔ２、Ｕ２、Ｖ２、Ｗ２は前述したように、所定の外力に耐えられるように支柱部１０の寸法を決定する。Ｓ１、Ｔ１、Ｕ１、Ｖ１、Ｗ１については、支柱部９の曲げ変形に対する強度または破断に至るまでの強度が、支柱部１０の強度より大きくなるように寸法を決定すればよい。図６においては、Ｓ１とＳ２、Ｕ１とＵ２、Ｖ１とＶ２、Ｗ１とＷ２は略同一の寸法であり、Ｔ１がＴ２より大きい。Ｔ１を大きくして貫部９ａを肉厚とすることによって支柱部９の強度を大きくしている。
【００２８】
支柱部の強度に差をつける部分は特に最も強度の弱い部分、すなわち最も変形しやすい部分に強度の差をつけるとよい。そうすることによって、強度の小さい支柱部が先に変形することなり、強度の大きい支柱部が破断に至らず、本体２が倒壊しないようにすることができる。
【実施例２】
【００２９】
図７は、本発明の実施例２に係る支柱部の断面の形状を示した図である。この実施例２が実施例１と異なる点は、実施例１における支柱部９に代えて、実施例２においては支柱部１７とし、実施例１における支柱部１０に代えて、実施例２においては支柱部１８としたことにある。図７（ａ）は支柱部１８の断面形状であり、図７（ｂ）は支柱部１７の断面形状である。支柱部１７と支柱部１８の断面の形状は略コの字型をしている。Ｓ３、Ｔ３、Ｕ３、Ｖ３、Ｗ３は支柱部９のそれぞれの寸法を示し、Ｓ４、Ｔ４、Ｕ４、Ｖ４、Ｗ４は支柱部１８のそれぞれの寸法を示している。
【００３０】
Ｓ４、Ｔ４、Ｕ４、Ｖ４、Ｗ４は前述したように、所定の外力に耐えられるように支柱部１８の寸法を決定する。Ｓ３、Ｔ３、Ｕ３、Ｖ３、Ｗ３については、支柱部１７の強度が大きくなるように寸法を決定すればよい。図７においては、Ｔ３とＴ４、Ｕ３とＵ４、Ｖ３とＶ４、Ｗ３とＷ４は略同一の寸法であり、Ｓ３がＳ４より大きい。Ｓ３を大きくしてリブ部１７ｂ、１７ｃの長さを大きくすることによって支柱部１７の強度を大きくしている。
【実施例３】
【００３１】
図８は、本発明の実施例３に係る支柱部の断面の形状を示した図である。この実施例３が実施例１と異なる点は、実施例１における支柱部９に代えて、実施例３においては支柱部１９とし、実施例１における支柱部１０に代えて、実施例３においては支柱部２０としたことにある。図８（ａ）は支柱部２０の断面形状であり、図８（ｂ）は支柱部１９の断面形状である。支柱部１９と支柱部２０の断面の形状は略コの字型をしている。Ｓ５、Ｔ５、Ｕ５、Ｖ５、Ｗ５は支柱部１９のそれぞれの寸法を示し、Ｓ６、Ｔ６、Ｕ６、Ｖ６、Ｗ６は支柱部２０のそれぞれの寸法を示している。
【００３２】
Ｓ６、Ｔ６、Ｕ６、Ｖ６、Ｗ６は前述したように、所定の外力に耐えられるように支柱部２０の寸法を決定する。Ｓ５、Ｔ５、Ｕ５、Ｖ５、Ｗ５については、支柱部１９の強度が大きくなるように寸法を決定すればよい。図８においては、Ｓ５とＳ６、Ｔ５とＴ６、Ｕ５とＵ６、Ｖ５とＶ６は略同一の寸法であり、Ｗ５がＷ６より大きい。コの字型の支柱部の幅Ｗ６を大きくすることによって支柱部１９の強度を大きくしている。
【００３３】
図９は、実施例３に係るスタンド２１の概観を示す斜視図である。スタンド２１は台座８と支柱部１９及び２０により構成されている。支柱部が２個の場合は２個の支柱部の強度を異なるようにすればよい。強度が異なれば、強度の小さい方から変形する可能性が大きく、少なくとも同時に変形する可能性は小さい。本体２を幅方向に二等分する垂直方向の中心軸線２８（図２参照）を挟んで一方の側と他方の側とで支柱部の強度が異なるようにすればよい。強度が弱い方の側の支柱部が先に変形し、強度が強い方の側は変形しないか遅れて変形する。少なくとも同時に破断には至らないため、本体２の倒壊を防止できる可能性が大きい。
【実施例４】
【００３４】
図１０は、本発明の実施例４に係るスタンド２２の概観を示す斜視図である。この実施例４が実施例１と異なる点は、実施例１における支柱部９に代えて、実施例４においては支柱部１０を２個設置したことにある。支柱部１０を２個設置することで、強度を２倍にすることができる。
【００３５】
図１０においては、同じ強度の支柱部９が３個あり、中心軸線２８を対称軸として非対称となるように支柱部９配置することによって、強度が異なるようにしている。本体２を幅方向に二等分する垂直方向の中心軸線２８（図２参照）を挟んで一方の側と他方の側とで支柱部の強度が異なるようにするには、複数の支柱部の内で少なくとも１個は他の支柱部と強度が異なるようにしてもよい。
【実施例５】
【００３６】
図１１は、本発明の実施例５に係るスタンド２３の概観を示す斜視図である。この実施例５が実施例１と異なる点は、実施例１における支柱部９と支柱部１０に代えて、支持板２４を設置したことにある。スタンド２３は台座８と支持板２４により構成されている。支持板２４は、台座８の上部にあって、台座８の平面部に対して略垂直に設置されている。特にシャーシ５が接合する面は略垂直である。支持板２４は、４箇所のネジ固定用の孔２５ａ、２５ｂ、２５ｃ、２５ｄがある。これらのネジ固定用の孔の数は必要とされるネジの個数によって増加させればよい。
【００３７】
支持板２４は、支持板本体２４ａの両側にリブ部２４ｂとリブ部２４ｃを備えている。支持板本体２４ａとリブ部の大きさは、所定の外力に耐えられるように決定する。そして一方のリブ部については、強度を大きくするためリブの長さを大きくする。図１１においては、支持板２４のリブ部２４ｃは、所定の外力に耐えられるように大きさを決定し、リブ部２４ｂは強度を大きくするためにリブ部の長さを大きくしている。リブ部の大きさを変える代わりに支持板２４の支持板本体２４ａの厚さを変化させる方法も考えられる。
【実施例６】
【００３８】
図１２は、本発明の実施例６に係るスタンド２６の概観を示す斜視図である。この実施例６が実施例１と異なる点は、実施例１における支柱部９と支柱部１０に代えて、コの字型をした支持部材２７を設置したことにある。支持部材２７は貫部２７ａと支柱部２７ｂ、支柱部２７ｃが、アルミダイカスト等により一体的に成型されている。貫部２７ａの部分が台座８とネジ等により結合されている。支柱部２７ａと支柱部２７ｂは、それぞれ実施例１における支柱部９と支柱部１０に相当する部分である。支柱部２７ａの断面は図６（ｂ）と同様であり、支柱部２７ｃの断面は図６（ａ）と同様である。
【００３９】
以上のように、実施例１から実施例６においては、本体２を幅方向に二等分する垂直方向の中心軸線２８（図２参照）を挟んで一方の側と他方の側とで支柱部の強度が異なっている。このようにすることによって、所定の外力を超える外力あるいは衝撃力が本体２に作用した場合に、強度の小さい方の側が先に変形する。強度の小さい方の側が先に変形あるいは破断することによって外力あるいは衝撃力が吸収され、強度の大きい方の側が破断に至らずに済み、本体２の倒壊を防止することができる。少なくとも同時に破断には至らないため、本体２の倒壊を防止でき、本体２の倒壊による危険を防止することができる。
【００４０】
本発明は以上の構成に限定されるもではなく種々の変形が可能である。
【符号の説明】
【００４１】
１  表示装置
２  本体
３  スタンド
４  表示パネル
５  シャーシ
６  前面カバー
７  背面カバー
８  台座
９  支柱部
１０  支柱部
２８  中心軸線
【図１】
2010175998.tif 000003
【図２】
2010175998.tif 000004
【図３】
2010175998.tif 000005
【図４】
2010175998.tif 000006
【図５】
2010175998.tif 000007
【図６】
2010175998.tif 000008
【図７】
2010175998.tif 000009
【図８】
2010175998.tif 000010
【図９】
2010175998.tif 000011
【図１０】
2010175998.tif 000012
【図１１】
2010175998.tif 000013
【図１２】
2010175998.tif 000014
【図１３】
2010175998.tif 000015
【図１４】
2010175998.tif 000016
【手続補正書】
【提出日】平成22年1月6日(2010.1.6)
【手続補正１】
【補正対象書類名】明細書
【補正対象項目名】００１６
【補正方法】変更
【補正の内容】
【００１６】
図２は、表示装置１を背面から見た図である。本体２の内部にはシャーシ５が配置されており、シャーシ５の略中央下部において、スタンド３と接合している。スタンド３の台座８から略垂直に立ち上がっている支柱部９、支柱部１０、それぞれ２箇所のネジ固定用の孔１１ａ、１１ｂ、１２ａ、１２ｂがあり、シャーシ５には図示しない固定用のネジ穴が設けられており、固定ネジ１４ａ〜１４ｄによってシャーシ５とスタンド３が固定されている。シャーシ５におけるシャーシ５と支柱部９、１０との接合部は、例えば厚さ２ｍｍの金属板である。本実施例において、固定ネジは４個であるが、固定ネジ１４は必要に応じて更に複数個追加してもよいことは言うまでもない。
【手続補正２】
【補正対象書類名】明細書
【補正対象項目名】００２９
【補正方法】変更
【補正の内容】
【００２９】
図７は、本発明の実施例２に係る支柱部の断面の形状を示した図である。この実施例２が実施例１と異なる点は、実施例１における支柱部９に代えて、実施例２においては支柱部１７とし、実施例１における支柱部１０に代えて、実施例２においては支柱部１８としたことにある。図７（ａ）は支柱部１８の断面形状であり、図７（ｂ）は支柱部１７の断面形状である。支柱部１７と支柱部１８の断面の形状は略コの字型をしている。Ｓ３、Ｔ３、Ｕ３、Ｖ３、Ｗ３は支柱部１７のそれぞれの寸法を示し、Ｓ４、Ｔ４、Ｕ４、Ｖ４、Ｗ４は支柱部１８のそれぞれの寸法を示している。
【手続補正３】
【補正対象書類名】明細書
【補正対象項目名】００３５
【補正方法】変更
【補正の内容】
【００３５】
図１０においては、同じ強度の支柱部１０が３個あり、中心軸線２８を対称軸として非対称となるように支柱部１０を配置することによって、強度が異なるようにしている。本体２を幅方向に二等分する垂直方向の中心軸線２８（図２参照）を挟んで一方の側と他方の側とで支柱部の強度が異なるようにするには、複数の支柱部の内で少なくとも１個は他の支柱部と強度が異なるようにしてもよい。
【手続補正４】
【補正対象書類名】明細書
【補正対象項目名】００３８
【補正方法】変更
【補正の内容】
【００３８】
図１２は、本発明の実施例６に係るスタンド２６の概観を示す斜視図である。この実施例６が実施例１と異なる点は、実施例１における支柱部９と支柱部１０に代えて、コの字型をした支持部材２７を設置したことにある。支持部材２７は貫部２７ａと支柱部２７ｂ、支柱部２７ｃが、アルミダイカスト等により一体的に成型されている。貫部２７ａの部分が台座８とネジ等により結合されている。支柱部２７ｂと支柱部２７ｃは、それぞれ実施例１における支柱部９と支柱部１０に相当する部分である。支柱部２７ｂの断面は図６（ｂ）と同様であり、支柱部２７ｃの断面は図６（ａ）と同様である。
【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
表示パネルと前記表示パネルの背面に配置されたシャーシとを有する本体と、
前記本体と結合されて前記本体を支持する複数の支柱部を有するスタンドとを備えた表示装置であって、
前記複数の支柱部は、前記複数の支柱部の内で少なくとも１個は他の支柱部と強度が異なることを特徴とする表示装置。
【請求項２】
前記複数の支柱部の内で少なくとも１個は他の支柱部と支柱部の断面積が異なることを特徴とする請求項１記載の表示装置。
【請求項３】
表示パネルと前記表示パネルの背面に配置されたシャーシとを有する本体と、
前記本体と結合されて前記本体を支持する複数の支柱部を有するスタンドとを備えた表示装置であって、
前記複数の支柱部は、前記本体を幅方向に二等分する垂直方向の中心軸線を挟んで一方の側と他方の側とで支柱部の強度が異なることを特徴とする表示装置。
【請求項４】
前記複数の支柱部は、前記本体を幅方向に二等分する垂直方向の中心軸線を挟んで一方の側と他方の側とで支柱部の数が異なることを特徴とする請求項３記載の表示装置。
【請求項５】
表示パネルと前記表示パネルの背面に配置されたシャーシとを有する本体と、
前記本体と結合されて前記本体を支持する支持板を有するスタンドとを備えた表示装置であって、
前記支持板は、前記本体を幅方向に二等分する垂直方向の中心軸線を挟んで一方の側と他方の側とで大きさの異なるリブを有することを特徴とする表示装置。
【請求項６】
前記支持板は、両端に大きさの異なるリブを有することを特徴とする請求項５記載の表示装置。
【手続補正２】
【補正対象書類名】明細書
【補正対象項目名】００１１
【補正方法】変更
【補正の内容】
【００１１】
上記目的を達成するために、本発明の表示装置は、表示パネルと前記表示パネルの背面に配置されたシャーシとを有する本体と、前記本体と結合されて前記本体を支持する複数の支柱部を有するスタンドとを備えた表示装置であって、前記複数の支柱部は、前記複数の支柱部の内で少なくとも１個は他の支柱部と強度が異なることを特徴とする。